(57)【要約】【課題】タワークレーンなどを用いないで容易に盛替え可能なセルフクライミング足場を提供する。【解決手段】足場ユニット１０と、足場ユニット１０を構成する隣り合う複数の縦フレーム１１に水平かつ同一高さ位置に取り付けられる水平繋ぎ材２０と、足場ユニット１０および水平繋ぎ材１０を吊り上げる吊上げ手段３０とから構成されるセルフクライミング足場において、吊上げ手段３０は、一端が固定された索条３１と、水平繋ぎ材２０に設置されると共に索条３１を巻き上げる巻上げ手段３２と、建物躯体４０に取り付けられかつ巻上げ手段３２と索条固定端３３との間に索条３１を掛け回すようにして受ける受けシーブ３４とから構成される。【選択図】  図１
2006299559.tif 000002
【特許請求の範囲】
【請求項１】
足場ユニットと、該足場ユニットを構成する隣り合う複数の縦フレームに水平かつ同一高さ位置に取り付けられる水平繋ぎ材と、前記足場ユニットおよび水平繋ぎ材を吊り上げる吊上げ手段とから構成されるセルフクライミング足場において、
前記吊上げ手段は、一端が固定された索条と、前記水平繋ぎ材に設置されると共に前記索条を巻き上げる巻上げ手段と、建物躯体に取り付けられかつ前記巻上げ手段と前記索条固定端との間に索条を掛け回すようにして受ける受けシーブとから構成されることを特徴とする前記セルフクライミング足場。
【請求項２】
前記建物躯体が一または複数の受けシーブを有すると共に、前記水平繋ぎ材が一または複数の受けシーブを具備して、該建物躯体側受けシーブと該水平繋ぎ材側受けシーブとの間に索条を掛け回すようにしたことを特徴とする、請求項１に記載のセルフクライミング足場。
【請求項３】
前記水平繋ぎ材の建物側部にガイドレールを鉛直に取り付け、そして該ガイドレールを着脱自在に支持するブラケットを前記建物躯体に突設したことを特徴とする、請求項１または２に記載のセルフクライミング足場。
【請求項４】
ブラケットに片側が回動可能な状態で枢着された荷重支持ピンが、前記ガイドレールに鉛直方向に連続して開けられた孔に挿通して足場ユニットの荷重を建物側に支持すると共に、ガイドレールが上昇すると回動して外れることを特徴とする、請求項３に記載のセルフクライミング足場。
【請求項５】
足場ユニットと、該足場ユニットを構成する隣り合う複数の縦フレームに水平かつ同一高さ位置に取り付けられる水平繋ぎ材と、前記足場ユニットおよび水平繋ぎ材を吊り上げる吊上げ手段とから構成され、前記吊上げ手段は、一端が固定された索条と、前記水平繋ぎ材に設置されると共に前記索条を巻き上げる巻上げ手段と、建物躯体に取り付けられかつ前記巻上げ手段と前記索条固定端との間に索条を掛け回すようにして受ける受けシーブとから構成される前記セルフクライミング足場を用いたセルフクライミング方法であって、
前記巻上げ手段により索条を巻き上げて足場ユニットを一定距離上昇させた後、建物側ブラケットに足場ユニット荷重を支持させ、建物躯体上方にブラケットおよび受けシーブを取り付け、前記索条を前記上方の受シーブに掛け替えて、再び上昇を繰り返すことを特徴とする、前記セルフクライミング足場を用いたセルフクライミング方法。
【発明の詳細な説明】
【技術分野】
【０００１】
本発明は、建設現場などおける建物躯体の外部に設営する足場に関するものであり、より詳細にはタワークレーンなどの他の揚重手段を用いないで容易に盛替え（クライミングともいう）可能なセルフクライミング足場に関する。
【背景技術】
【０００２】
従来、外部作業が必要な高層建築物や、外構工事を行いたい中層建築物に付設される外部足場には、足場ユニットのフレームに荷重支持材を取り付けて足場を建物躯体に支持させたものや、フレームに係脱手段を設けて、それを建物躯体の一部（例えばベランダ）の張出し部に取り付けて、足場を支持するようにしたものが使われてきた。これらの外部足場は、適用工事毎に設計や製作などの準備作業が設置前に必要になるため、事前に時間とコストがかかっており、設営した足場の転用も効かないため、作業の完了後には廃棄されるなど、非効率で不経済であった。また、上層階作業となるため、盛替え時には別に設置されたタワー式や移動式のクレーン、あるいは建物側に設置された昇降装置が必要になる。前者は盛替えが完了するまでの時間、クレーンを占有してしまうし、後者は昇降装置を上階へ盛替える作業がその都度発生するなど、盛替え作業に関連して発生する負担が大きいため、盛替えが工期短縮の障害となっている。
【０００３】
クレーンを用いない盛替え方法として、特開２００１−１０６４８６号公開公報では、足場支持枠に自動昇降装置を取り付け、足場を昇降させる方式が提案されている。この技術は、自動昇降装置の構造が複雑かつ大掛かりになる。特に、大スパンの足場をクライミングさせる場合、支持枠の設置する昇降装置を複数台必要とし、しかも足場の水平を保って安全に昇降させるために昇降装置間の複雑な同期制御が必要になる。このように、製造および運転コストが大になる上、盛替え作業に時間がかかる、装置の設置場所に制限があるなどの問題点もある。
【０００４】
本発明者は、特開２００４−２６３４８０号公開公報において、構造フレームと、該構造フレームに一体的に取り付けられた仮設足場と、前記構造フレームと仮設足場からなる足場ユニットを吊り上げる吊り上げ手段とから構成されるセルフクライミング足場を提案した。このセルフクライミング足場は盛替え作業を迅速に行え、簡易な構造なため転用も可能である。
【特許文献１】特開２００４−２６３４８０号公開公報
【発明の開示】
【発明が解決しようとする課題】
【０００５】
しかしながら、上記セルフクライミング足場は、数スパンの小割りのユニット毎に盛替えを行うため、各ユニット間の縁切りと復旧作業が頻繁に多数回発生する。また、盛替え前に行うモータなどの重量物からなる巻上げ手段の持ち運び作業は、作業者にとって負担が大きい。これらの作業を軽減することは、さらなる工期短縮を可能とする。
【０００６】
そこで、本発明の課題は、大スパンの足場ユニットを、巻上げ手段などの重量物の盛替えを伴わない軽微な作業で、また少ない回数で、同時にクライミング可能なセルフクライミング足場を提供することにある。
【課題を解決するための手段】
【０００７】
本発明者は、上記課題を鋭意検討した結果、以下の発明により解決できることを見出した。すなわち、本発明は、足場ユニットと、該足場ユニットを構成する隣り合う複数の縦フレームに水平かつ同一高さ位置に取り付けられる水平繋ぎ材と、前記足場ユニットおよび水平繋ぎ材を吊り上げる吊上げ手段とから構成されるセルフクライミング足場において、前記吊上げ手段は、一端が固定された索条と、前記水平繋ぎ材に設置されると共に前記索条を巻き上げる巻上げ手段と、建物躯体に取り付けられかつ前記巻上げ手段と前記固定端との間に索条を掛け回すようにして受ける受けシーブとから構成されることを特徴とする。ここで足場ユニットは、通常、縦フレーム、水平フレーム、足場板および筋交からなる。
【０００８】
前記巻上げ手段は、例えばウィンチまたはチェーンブロックであり、それには駆動源としてのモータが付設される。一方、索条は、例えばワイヤーまたはチェーンであり得る。索条の一端は固定される必要があるが、固定端の位置は、水平繋ぎ材および建物躯体のいずれの側にあってもよい。本発明のセルフクライング足場では、一個の巻上げ手段に一本の索条を掛け渡すことに限らず、一個の巻上げ手段に複数本の索条を同軸的に取り付けて、同時に巻き上げるようにしてもよい。
【０００９】
本発明のセルフクライミング足場では、前記建物躯体が一または複数の受けシーブを有すると共に、前記水平繋ぎ材が一または複数の受けシーブを具備して、該建物躯体側受けシーブと該水平繋ぎ材側受けシーブとの間に索条を掛け回すことが好ましい。水平繋ぎ材側受シーブには、索条の巻上げ速度を計測するエンコーダを取り付けることが好ましい。
【００１０】
前記水平繋ぎ材の建物側部にガイドレールを鉛直に取り付け、前記建物躯体に該ガイドレールを着脱自在に支持するブラケットを突設すると、足場と建物躯体が一体に係合すると共に、足場の円滑なクライミングが図られる。その際、建物躯体から延在するブラケットに片側が回動可能な状態で枢着された荷重支持ピンが、前記ガイドレールに鉛直方向に連続して開けられた孔に嵌入して足場ユニット荷重を建物躯体側に支持させると共に、ガイドレールが上昇する際には荷重支持ピンが上方に回動して外れるようにするとよい。前記建物側ブラケットには、前記ガイドレールを案内するガイドローラを取り付けることが好ましい。
【００１１】
本発明はまた、上記セルフクライミング足場を用いたセルフクライミング方法を提供する。すなわち、本発明のセルフクライミング方法は、足場ユニットと、該足場ユニットを構成する隣り合う複数の縦フレームに水平かつ同一高さ位置に取り付けられる水平繋ぎ材と、前記足場ユニットおよび水平繋ぎ材を吊り上げる吊上げ手段とから構成され、前記吊上げ手段は、一端が固定された索条と、前記水平繋ぎ材に設置されると共に前記索条を巻き上げる巻上げ手段と、建物躯体に取り付けられ、かつ前記巻上げ手段と前記索条固定端との間に索条を掛け回すようにして受ける受けシーブとから構成される前記セルフクライミング足場を用いたセルフクライミング方法であって、前記巻上げ手段により索条を巻き上げて足場ユニットを一定距離上昇させた後、建物側ブラケットに足場ユニット荷重を支持させ、建物躯体上方にブラケットおよび受けシーブを取り付け、前記索条を前記上方の受シーブに掛け替えて、再び上昇を繰り返すことを特徴とする。
【発明の効果】
【００１２】
本発明は、特開２００４−２６３４８０号公報に記載のセルフクライミング足場と同様に、クライミング足場自体にセルフクライミング機能を持たせることで、クレーンを用いずともクライミングを容易に行うことが可能である。
【００１３】
本発明のセルフクライミング足場は、小型の巻上げウィンチ（例えば自重６９ｋｇ）のような巻上げ手段を水平繋ぎ材や足場上に設置することによって、大スパンの外部作業用吊足場を、各ユニットを分割することなく一度に盛替え可能である。従来のセルフクライミング足場のような小割りのユニット毎に昇降手段を持つ方式と相違して、盛替え時にユニット間の縁切りとその復旧作業が頻繁に発生するようなことがなくなり、作業を大幅に簡素化することができる。
【００１４】
本発明のセルフクライミング足場に使用する吊上げ手段は、索条を、足場側の巻上げ手段→建物側の受けシーブ→足場側の索条固定端へと掛け回すようにしたことから、巻上げ手段にかかる荷重が、滑車の効果によって、建物側に設置した巻上げ手段から足場を直接吊り上げる従来方式と比べて大幅に軽減される。これは、巻上げ手段の小型化や台数削減（省資源）および動力削減（省エネルギー）につながる。特に、請求項２のように、複数の受けシーブを介して足場を吊るようにすると、巻上げ手段にかかる負担をさら一層軽減可能である。これは、足場全体の簡略化と総重量削減に寄与し、さらなる省資源・省エネルギーにつながる。
【００１５】
従来のセルフクライミング足場は、巻上げ手段の盛替え作業を頻繁に行う必要があり、それが作業者にとって負担であった。本発明のセルフクライミング足場では、巻上げ手段を水平繋ぎ材や足場へ一度設置するだけでよく、残る作業は、受けシーブ、ブラケット、ガイドローラの取り付け、ワイヤーの盛替えなどの軽作業である。本発明のセルフクライミング足場は、作業者を重労働から解放し、また作業人員の削減に大きく貢献する。
【００１６】
また、本発明のセルフクライミング足場では、足場を盛替える際や盛替えた後の固定作業を容易に行えるため、建物躯体や新築建造物を損傷させる危険性も減少する。
【００１７】
本発明のセルフクライミング足場は、足場の水平繋ぎ材に固定されるガイドレールにその鉛直方向に複数の孔を開け、そこへ荷重支持ピンを挿入するように構成すると、荷重支持ピンの挿入位置を変えることで、足場の設置高さを任意のレベルへ調整可能となる。この荷重支持ピンを回動式構造にしたため、作業者が荷重支持ピンの挿脱を離れた場所で行うことができ、安全性も向上する。
【発明を実施するための最良の形態】
【００１８】
以下、本発明の実施の形態について、図面を参照しながら説明する。図１および図２は、本発明のセルフクライミング足場１の一実施態様を示すものであり、１０は足場ユニット、２０は水平繋ぎ材、３０は吊上げ手段、４０は建物躯体、５０は壁継ぎ材である。
【００１９】
足場ユニット１０は、縦フレーム１１および水平フレーム１２からなる複数の足場フレームと、隣り合う水平フレーム間に掛止される足場板と、隣り合う縦フレーム間に交わされる筋交い１３、図示しない適宜の手摺や階段とから構成される。主に鋼製の足場板や筋交いと縦・水平フレームとが組み合わさって、足場全体に必要十分な剛性が確保される。該足場は、湾曲壁面のような建物にも対応できる自由度の高いものであり、転用も効く。なお、図１の足場ユニットは、説明のために、枠組足場を３列６段に組み上げているが、本発明はこれに限定されるものではなく、さらに多段で大スパンのユニット足場であってもよい。
【００２０】
図１のように、足場ユニット１０を下部足場ユニット１０Aおよび上部足場ユニット１０Bからなる上下二分割式にすることが、足場を狭い場所で安全に組み立てる上で好都合である。上下二分割式の足場ユニットを組み方の例は、まず、構築予定の足場位置に複数の層およびスパン（図１では３段３列）から成る下部足場ユニット１０Aを地組みする。続いて下部足場ユニット１０Aの近傍で上部足場ユニット１０Bを同じように地組みし、それをクレーンなどで吊って下部足場ユニット１０Bの上に載置し両ユニットを連結固定する。
【００２１】
水平繋ぎ材２０は、足場ユニット１０の各スパンを連結し、足場ユニットの強度を向上させ、そして後述する吊上げ手段などを固定するための基部となる。水平繋ぎ材２０は、ユニット足場１０の内方（建物躯体に近い方）の複数の縦フレーム１１の建物側側部へ水平かつ同じ高さに取り付ける。足場ユニット１０が多階層の場合には、水平繋ぎ材２０を適宜の間隔で多段に組み付ける。
【００２２】
前記水平繋ぎ材２０には、足場ユニット１０の吊上げ手段３０が設置される。吊上げ手段３０は、足場ユニット１０および水平繋ぎ材２０からなる足場全体を吊り上げるためにあり、一端が固定された索条３１と、水平繋ぎ材２０に設置されると共に索条３１を巻き上げる巻上げ手段３２と、建物躯体４０に取り付けられかつ巻上げ手段３２と索条固定端３３との間に索条３１を掛け回すようにして受ける受けシーブ３４とから構成されている。
【００２３】
上記の索条３１は、足場全体を吊持するためにあり、具体的にはチェーン、ワイヤー、ロープなどからなる。索条３１は、巻上げ手段３２を用いて巻上げられるようその一端が固定される必要がある。固定の方法は、索条の一端にフックのような係止部材を設けて、それを適当な場所に係止させればよい。固定端の設置場所は、水平繋ぎ材２０および建物躯体４０のいずれの側もあり得るが、水平繋ぎ材側が好ましい。
【００２４】
索条３１を巻き上げる巻上げ手段３２は、具体的にはウィンチまたはチェーンブロックである。巻上げ手段３２には、巻上げ手段を回転駆動せしめてチェーンなどの索条３１を巻き上げるモータが付設される。巻上げ手段３２とモータの取り付け位置は、足場側であれば特に限定されず、例えば水平繋ぎ材２０や足場板である。足場ユニットが多段からなる場合、巻上げ手段３２の取り付け高さは任意である（図１では最下部）。
【００２５】
受けシーブ３４は、チェーン、ワイヤーなどの索条３１を案内する溝つき滑車であって、該受シーブに掛け回されたワイヤーなどによって足場全体を吊持するためにある。好ましくは、図１のように、建物躯体４０に突設されたブラケット４１に取り付けられる。ブラケット４１は、図４に示すように、建物躯体から相互に間隔をもって延出する２枚の鋼板からなり、建物躯体４０に定着させたブラケット受板４２に押さえ金物やアンカーボルトで締付けることにより固定されている。
【００２６】
図１のセルフクライミング足場１では、一または複数の受けシーブ３４が建物躯体側に設置されると共に、さらに一または複数の受けシーブ３４Aが前記水平繋ぎ材へ設置されている。そして、建物躯体側受けシーブ３４と水平繋ぎ材側受けシーブ３４Aとの間で索条３１が掛回されている。こうすることで、足場ユニット１０が大スパンであっても、同時に、水平にセルフクライミングすることができる。
【００２７】
本発明のセルフクライミング足場１は、大スパンの足場ユニット１０を安定してクライミングさせるために、吊上げ手段３０に長尺のガイドレール３５を組み込んでいる(図２)。ガイドレール３５の約半分（図２のｈ）がセルフクライミング時の一回の最大ストロークとなる。具体的には、図３および４に示すように、ガイドレールとして鉛直方向に延在する断面コの字型のフレームを水平繋ぎ材２０の水平方向位置に取り付ける。その取り付けは、ガイドレール３５のユニット足場に対面する屈曲壁３６を水平繋ぎ材にボルトなどで固着することにより行われる（図４）。ユニット足場が大スパンになれば、複数のガイドレールを水平方向に適宜の間隔で配設する。一方、ガイドレール３５の建物躯体側の屈曲壁３７が、建物躯体側のブラケット４１に取り付けられたガイドローラ４３と当接する(図４)。ガイドレール３５は建物躯体側ブラケット４１に固定されたガイドローラ４３にガイドされて移動するので、足場ユニット１０はガイドローラ４３にガイドされて建物からの離隔をほぼ一定に保ちながら内外に振られることなく昇降する。
【００２８】
上記ガイドローラ４３は、図４に示すように、建物躯体４０から張り出したブラケット４１の内側面にローラの台座４４が一体的に取り付けられると共に、台座４４に上方のローラ４３Ａと下方のローラ４３Ｂとがガイドレール屈曲壁３７を挟むように軸着される構成になっている。また、台座４４をブラケット４１に摺動自在に取り付けることにより、ガイドローラ４３と建物躯体４０との間の距離を調整することができる。
【００２９】
本発明のセルフクライミング足場１では、足場ユニット１０の上方を建物躯体４０から離れるように若干傾倒させることにより、足場ユニット１０の荷重がガイドレール３５、ガイドローラ４３、ブラケット４１へと確実に伝達され、最終的には建物躯体４０に伝達されて、水平繋ぎ材２０で一体化された足場ユニット１０の鉛直荷重が建物躯体４０によって支持される。
【００３０】
建物躯体側ブラケット４１には、荷重支持ピン４５が枢着ピン４６により片側が回動可能に枢着される。ガイドレールの屈曲壁３６、３７に挟まれたガイドレール中央壁部３８には、鉛直方向に沿うように複数の荷重支持ピン挿通孔３９が設けられている。クライミング時、ガイドレール３５の上昇につれ荷重支持ピン４５が図５の矢印の方向へ起き上がり、ガイドレール３５の上昇を許容する。クライミング作業の停止または後は、荷重支持ピン４５が孔３９へ挿通した状態でブラケット４１の上部凹縁にて支持される。ガイドレール３５と足場ユニット１０の荷重が荷重支持ピン４５へ伝わり、それはさらにピン下のブラケット４１を介して建物躯体４０へ伝わる。このような荷重支持ピン構造は、ガイドレール３５の急な下降や落下を防止する落下防止手段も兼ねている。ガイドレール３５には複数の孔３９が開け設けられているので、荷重支持ピン４５が所望の孔に挿入されることで、足場ユニット１０を任意の高さで停止させることもできて利便である。
【００３１】
以上に、本発明のセルフクライミング足場１によれば、水平繋ぎ材２０で一体化された足場ユニット１０、ガイドレール３５、ガイドローラ４３、ブラケット４１、荷重支持ピン４５、建物躯体４０などが相互に作用し、足場ユニット１０の建物躯体４０側への安定な支持とクライミング時の安定した走行が保証される。
【００３２】
以下、本発明のセルフクライング足場の付帯設備を説明する。本発明のセルフクライミング足場１では、索条３１の移動速度を計測するエンコーダ（図示せず）を水平繋ぎ材側受シーブ３４Aへ取り付けるとよい。エンコーダは、大スパンのユニット足場のセルフクライミングのために、各巻上げ手段の巻上げ速度を均一に制御し、ユニット足場の水平を維持するのに有効である。
【００３３】
本発明のセルフクライミング足場１は、索条３１の固定端３３に荷重計（図示せず）を取り付けてもよい。荷重計は、足場ユニット１０の総重量が索条の定格荷重を超えないよう管理し、また、足場ユニット１０のセルフクライミング時に足場ユニットの一部が建物躯体４０側と競ったり、壁継ぎ材５０の縁切りが不十分であったりするのを察知し、索条３１の過負荷や切断を回避する。
【００３４】
本発明のセルフクライミング足場１は、適宜、建物躯体４０と足場ユニット１０との連繋をなす壁継ぎ材５０を所定間隔で配設する。セルフクライミング時には、壁継ぎ材５０を取り外し、セルフクライミング後は足場ユニット１０を壁継ぎ材５０で建物側へ固定して安定化させる。
【００３５】
上記で説明した本発明のセルフクライング足場１を用いたセルフクライミング方法を以下に説明する。まず、組み上げられた足場ユニット１０を用いて上部ユニット足場１０Bの高さまで建物躯体４０を構築し、足場の盛替え（クライミング）作業を開始する。クライミング作業に際しては、まず、受シーブ３４および索条３１を取り付けた後、足場ユニット１０の荷重を建物側に移してから、建物躯体４０から壁継ぎ材５０を取り外してユニット足場１０と建物躯体４０との縁を切り、続いて、巻上げ手段３２により索条３１を引っ張り、クライミング足場全体を最大ガイドレールの約半ストローク分上昇させる。
【００３６】
クライミング後、建物側ブラケット４１に足場ユニット１０の荷重を支持させ、壁継ぎ材５０を配置して足場ユニット１０を安定化させる。上部ユニット足場１０Bの高さまで建物躯体を構築したら、建物躯体上方にブラケット４１を新たに突設し、それに受けシーブ３４を装着する。これらには、ガイドレールから外れた位置にある最下部のブラケットおよび受シーブを取り外して再利用してもよい。受シーブ３４を装着したら、索条３１を盛り替える。その後、再び、足場ユニット１０のクライミングを繰り返す。
【００３７】
以上、本発明のセルフクライミング足場とそれを用いたセルフクライミング方法を実施の形態を用いて説明した。しかし、本発明は上記実施形態の限定されるものではなく、特許請求の範囲に規定される技術範囲内において、この技術分野の当業者において容易に予想される変更、改良や応用は、すべて本発明に含まれる。上記実施態様の変形例として、図７に、索条の固定端を建物側から張り出したブラケット４１に設置する実施態様を示す。図８に、一台の巻上げ手段が二本の索条を同軸的に巻回する実施態様を示す。図８の実施態様の応用として、二本の索条をモータの両側の軸に一本ずつ巻回することも可能である。図９に、巻上げ手段３２を上段の水平繋ぎ材に設置した例を示す。
【００３８】
また、本発明のセルフクライミング足場には、走行時のユニット足場の水平を検知する機構、移動するガイドレールの下端が頂点のブラケットから外れないようにするリミットスィッチやストッパーのようなリミット機構などを追加してもよい。また、ガイドレールの上昇操作をさらに安定化するために、ガイドレールとガイドローラの摺動面をラック・ピニオン式にしてもよい。
【００３９】
本発明のセルフクライミング足場は、クライミング（上昇）操作だけでなく、下降操作も容易に行える。昇降操作を利用して上述した建築用途以外に、ビル外面清掃、窓拭きなどのメンテナンス作業にも応用可能である。
【図面の簡単な説明】
【００４０】
【図１】本発明の一実施態様であるセルフクライミング足場の正面図を示す。
【図２】図１のセルフクライミング足場の建物側に壁継ぎされた状態における側面図を示す。
【図３】図１の丸囲み部の部分拡大側面図（索条は省略）を示す。
【図４】図３のA-A’矢視断面図を示す。
【図５】図３のB矢視正面図を示す。
【図６】図１の壁継ぎを解いたセルフクライミング足場を、セルフクライミングさせている状態を示した正面図である。
【図７】本発明の別の実施態様におけるセルフクライミング足場の概略正面図を示す。
【図８】本発明のさらに別の実施態様におけるセルフクライミング足場の概略正面図を示す。
【図９】本発明のさらに別の実施態様におけるセルフクライミング足場の概略正面図を示す。
【符号の説明】
【００４１】
１０    足場ユニット
１０A  下部足場ユニット
１０B  上部足場ユニット
１１    縦フレーム
１２    水平フレーム
１３    筋交い
２０    水平繋ぎ材
３０    吊上げ手段
３１    索条
３２    巻上げ手段
３３    索条固定端
３４    受けシーブ（建物躯体側）
３４A  受シーブ（水平繋ぎ材側）
３５    ガイドレール
３６    ガイドレール屈曲壁（足場ユニット側）
３７    ガイドレール屈曲壁（建物躯体側）
３８    ガイドレール中央壁部
３９    荷重支持ピン挿通孔
４０    建物躯体
４１    ブラケット
４２    ブラケット受板
４３    ガイドローラ
４３Ａ  上方ガイドローラ
４３Ｂ  下方ガイドローラ
４４    台座
４５    荷重支持ピン
４６    枢着ピン
５０    壁継ぎ材
【図１】
2006299559.tif 000003
【図２】
2006299559.tif 000004
【図３】
2006299559.tif 000005
【図４】
2006299559.tif 000006
【図５】
2006299559.tif 000007
【図６】
2006299559.tif 000008
【図７】
2006299559.tif 000009
【図８】
2006299559.tif 000010
【図９】
2006299559.tif 000011